(57)【要約】      （修正有）【課題】商用電源や化粧用鏡が無い場所でも、エアノズルを使用した化粧を行えるエアノズルのセットを提供する。【解決手段】ケース１が、ケース本体部１Ａと開閉用のケース蓋部１Ｂとからなる。ケース本体部１Ａ内に、バッテリと、バッテリから給電されて駆動される電動式のエアポンプと、化粧液を貯溜した複数の化粧液容器と、エアノズル２０と、エアポンプとエアノズルとを接続するエアチューブ２１とが収納される。ケース蓋部１Ｂの内面に、化粧用鏡３が装備される。ケース蓋部内面に、バッテリから給電される照明ランプ５を装備しておくのが好ましい。また、化粧用鏡は、その傾斜角度を調整可能とするのが好ましい。【選択図】図１
0003192562.tif 000002
【実用新案登録請求の範囲】
【請求項１】
ケース本体部と該ケース本体部を開閉するケース蓋部とからなるケースと、
前記ケース本体部内に収納されたバッテリと、
前記ケース本体部内に収納され、前記バッテリから給電されて駆動される電動式のエアポンプと、
前記ケース本体部内に収納され、化粧液を貯溜した複数の化粧液容器と、
前記エアポンプにエアチューブを介して接続され、化粧液を噴射するためのエアノズルと、
前記ケース蓋部の内面に装備された化粧用鏡と、
を備えていることを特徴とするエアノズルのセット体。
【請求項２】
請求項１において、
前記ケースは、全体的に方形なハードケースとして構成され、
前記ケース本体部は、机上に載置した状態で上方が開口されており、
前記ケース蓋部は、前記ケース本体部に揺動可能に連結されている、
ことを特徴とするエアノズルのセット体。
【請求項３】
請求項２において、
前記ケース蓋部の揺動可能範囲が、前記ケース本体部の上方開口を施蓋する閉位置からほぼ上下方向に伸びる起立位置となるまでの間の範囲でのみ揺動可能とされ、
前記ケース蓋部は、前記起立位置のときに、閉位置から１００度〜１３０度の揺動角度とされる、
ことを特徴とするエアノズルのセット体。
【請求項４】
請求項１ないし請求項３のいずれか１項において、
前記ケース蓋部の内面に、前記バッテリから給電される照明ランプが設けられている、ことを特徴とするエアノズルのセット体。
【請求項５】
請求項４において、
前記バッテリと前記エアポンプとの間に、マニュアル操作によりオン、オフされる第１電源スイッチが設けられ、
前記バッテリと前記照明ランプとの間に、マニュアル操作によりオン、オフされる第２電源スイッチが設けられ、
前記第１電源スイッチと前記第２電源スイッチとがそれぞれ、前記ケース本体部内に配設されている、
ことを特徴とするエアノズルのセット体。
【請求項６】
請求項１ないし請求項５のいずれか１項において、
前記バッテリに、充電用のＡＣアダプタへの接続用となる充電用接続端子が接続されている、ことを特徴とするエアノズルのセット体。
【請求項７】
請求項１ないし請求項６のいずれか１項において、
前記バッテリに、該バッテリから携帯端末器に充電するための給電用接続端子が接続されている、ことを特徴とするエアノズルのセット体。
【請求項８】
請求項１ないし請求項７のいずれか１項において、
前記化粧用鏡が、上下方向の傾斜角度が調整可能として前記ケース蓋部に取付けられている、ことを特徴とするエアノズルのセット体。
【請求項９】
請求項１ないし請求項８のいずれか１項において、
前記ケース本体部内を、平面視において複数のスペースに仕切る仕切部材が配設され、
前記仕切部材によって、前記ケース本体部内が少なくとも、前記バッテリと前記エアポンプとが配設される第１スペースと、前記複数の化粧液容器が収納される第２スペースと、前記エアチューブが収納される第３スペースとに区画されている、
ことを特徴とするエアノズルのセット体。
【請求項１０】
請求項９において、
前記第２スペースに、前記複数の化粧液容器が個々独立して嵌合される複数の保持孔が構成され、
前記複数の保持孔はそれぞれ傾斜されていて、前記化粧液容器が傾斜状態でもって該保持孔に嵌合される、
ことを特徴とするエアノズルのセット体。
【請求項１１】
請求項９または請求項１０において、
前記ケース本体部の後部側に前記ケース蓋部が揺動可能に連結されて、該ケース蓋部が前部側から開かれるようにされ、
前記第１スペースと前記第２スペースとが、前記ケース本体部の後側部分において、左右方向に並んで配設され、
前記第３スペースが、前記ケース本体部の前側部分で、前記第１スペースと前記第２スペースとに沿って長く配設されている、
ことを特徴とするエアノズルのセット体。
【請求項１２】
請求項９ないし請求項１１のいずれか１項において、
前記仕切部材のうち前記第１スペースと前記第３スペースとを仕切る仕切壁部に、上方に向けて開口されて、前記エアノズルを平面視において前記第１スペースと前記第３スペースとに跨がった状態で嵌合保持させるエアノズル保持溝が形成されている、
ことを特徴とするエアノズルのセット体。
【請求項１３】
請求項９ないし請求項１２のいずれか１項において、
前記仕切部材には、平面視における前記第１スペース部位において、前記エアノズルの先端部が嵌合保持されるエアノズル立て部が設けられている、
ことを特徴とするエアノズルのセット体。
【考案の詳細な説明】
【技術分野】
【０００１】
本考案は、エアノズルのセット体に関するものである。
【背景技術】
【０００２】
化粧用具の一種として、エアを利用して化粧液を顔面に噴射（噴霧）するためのエアノズルが知られている。このエアノズルは、そのノズル本体に、化粧液を貯溜する貯溜部と、ノズル本体の先端部に形成されて該貯溜部に連なるニードル弁式のノズル部と、ニードル弁を操作する操作部と、エア圧発生源に接続されると共にノズル部の周縁部に開口されたエア噴射口と、を有する。そして、ノズル本体の先端部には、ノズル部を囲むと共に内部にエア噴射口からのエアが供給される噴射ノズルが設けられる。このようなエアノズルは、片方の手指で把持されて、噴射ノズルを顔面に向けて使用されることになる。すなわち、エア噴射口から噴射されるエアのベンチュリ効果によって、ノズル部から化粧液が吸引されて、エアと化粧液との混合物が噴射ノズルから噴射されることになる。そして、化粧液の量は、操作部を操作してノズル部の開口面積を変更することにより行われる。
【０００３】
特許文献１には、噴射ノズルの変更と貯溜部に貯溜させる液体の変更によって、化粧液噴射を行う化粧用としての使用状態と、洗顔液をクリーム状にして噴射する洗顔用としての使用状態とを適宜選択できるようにしたエアノズル装置が開示されている。
【先行技術文献】
【特許文献】
【０００４】
【特許文献１】実用新案登録第３１５９０１９号公報
【考案の概要】
【考案が解決しようとする課題】
【０００５】
前述したエアノズルへのエア（エア圧）供給は、エアチューブを介して電動式のエアポンプから供給される。そして、エアノズルを使用する際には、エアポンプを、ＡＣアダプタを介して商用電源に接続した状態で行うことになる。
【０００６】
しかしながら、旅先等において、化粧を行いたい場所において、商用電源を確保できないあるいは確保しづらい状態を生じる場合がある。また、化粧を行う際には、化粧用鏡に自分の顔を写しつつ行うことになるが、この化粧用鏡を確保できない場合もある。
【０００７】
本考案は以上のような事情を勘案してなされたもので、その目的は、商用電源や化粧用鏡が無い場所でも、エアノズルを使用した化粧を行えるようにしたエアノズルのセット体を提供することにある。
【課題を解決するための手段】
【０００８】
前記目的を達成するため、本発明にあっては次のような解決手法を採択してある。すなわち、請求項１に記載のように、
ケース本体部と該ケース本体部を開閉するケース蓋部とからなるケースと、
前記ケース本体部内に収納されたバッテリと、
前記ケース本体部内に収納され、前記バッテリから給電されて駆動される電動式のエアポンプと、
前記ケース本体部内に収納され、化粧液を貯溜した複数の化粧液容器と、
前記エアポンプにエアチューブを介して接続され、化粧液を噴射するためのエアノズルと、
前記ケース蓋部の内面に装備された化粧用鏡と、
を備えているようにしてある。
【０００９】
上記解決手法によれば、化粧を行う際には、ケース蓋部を開いて起立位置とし、エアノズルおよび化粧液容器を取り出して、化粧液容器内の化粧液をエアノズルに充填する。この後、エアポンプを駆動して、エアノズルによる化粧を行うことができる。この際、ケース蓋部内面に装備された化粧用鏡をみながら、化粧を良好に行うことができる。
【００１０】
上記解決手法を前提とした好ましい態様は、特許請求の範囲における請求項２以下に記載のとおりである。すなわち、
前記ケースは、全体的に方形なハードケースとして構成され、
前記ケース本体部は、机上に載置した状態で上方が開口されており、
前記ケース蓋部は、前記ケース本体部に揺動可能に連結されている、
ようにしてある（請求項２対応）。この場合、ハードケースとしてあるので、旅行等において、内部の各機器類等を十分に保護した状態で携行することができる。また、ケース蓋部を、ケース本体部に対して揺動させるという簡単な操作で、ケース本体部を開いて、内部にあるエアノズルや化粧液容器等に容易にアクセスすることができる。
【００１１】
前記ケース蓋部の揺動可能範囲が、前記ケース本体部の上方開口を施蓋する閉位置からほぼ上下方向に伸びる起立位置となるまでの間の範囲でのみ揺動可能とされ、
前記ケース蓋部は、前記起立位置のときに、閉位置から１００度〜１３０度の揺動角度とされる、
ようにしてある（請求項３対応）。この場合、机上にケース本体部を載置した状態でケース蓋部を開いて起立位置としたときに、化粧用鏡をのぞき込むのに適切な角度とすることができる。
【００１２】
前記ケース蓋部の内面に、前記バッテリから給電される照明ランプが設けられている、ようにしてある（請求項４対応）。この場合、暗い場所でも、照明ランプによる照明を利用して、良好に化粧を行うことができる。
【００１３】
前記バッテリと前記エアポンプとの間に、マニュアル操作によりオン、オフされる第１電源スイッチが設けられ、
前記バッテリと前記照明ランプとの間に、マニュアル操作によりオン、オフされる第２電源スイッチが設けられ、
前記第１電源スイッチと前記第２電源スイッチとがそれぞれ、前記ケース本体部内に配設されている、
ようにしてある（請求項５対応）。この場合、各電源スイッチを利用して、必要時にのみエアポンプや照明ランプをオン作動させることができる。また、各電源スイッチがケース本体部内に収納された状態なので、ケース本体部の外部に露出させて電源スイッチを設ける場合に比して、構成が簡単となり、しかも不用意に電源スイッチをオンさせてしまう事態を防止する上でも好ましいものとなる。
【００１４】
前記バッテリに、充電用のＡＣアダプタへの接続用となる充電用接続端子が接続されている、ようにしてある（請求項６対応）。この場合、充電用接続端子を利用してバッテリの充電を行うことができる。
【００１５】
前記バッテリに、該バッテリから携帯端末器に充電するための給電用接続端子が接続されている、ようにしてある（請求項７対応）。この場合、給電用接続端子を利用してバッテリから携帯端末器への充電を行うことができる。
【００１６】
前記化粧用鏡が、上下方向の傾斜角度が調整可能として前記ケース蓋部に取付けられている、ようにしてある（請求項８対応）。この場合、化粧用鏡を、化粧を行う者が望む適切な角度となるように調整することが可能となり、良好な化粧を行う上で好ましいものとなる。
【００１７】
前記ケース本体部内を、平面視において複数のスペースに仕切る仕切部材が配設され、
前記仕切部材によって、前記ケース本体部内が少なくとも、前記バッテリと前記エアポンプとが配設される第１スペースと、前記複数の化粧液容器が収納される第２スペースと、前記エアチューブが収納される第３スペースとに区画されている、
ようにしてある（請求項９対応）。この場合、仕切部材によって、電気系機器が配設されるスペースと、化粧液容器が配設されるスペースと、エアチューブが配設されるスペースとを確実に分けた状態とすることができる。
【００１８】
前記第２スペースに、前記複数の化粧液容器が個々独立して嵌合される複数の保持孔が構成され、
前記複数の保持孔はそれぞれ傾斜されていて、前記化粧液容器が傾斜状態でもって該保持孔に嵌合される、
ようにしてある（請求項１０対応）。この場合、化粧液容器を、保持孔へ嵌合させることにより確実に保持させつつ、保持孔への収納状態での高さを抑制して、ケースの高さを極力低く構成する上で好ましいものとなる。
【００１９】
前記ケース本体部の後部側に前記ケース蓋部が揺動可能に連結されて、該ケース蓋部が前部側から開かれるようにされ、
前記第１スペースと前記第２スペースとが、前記ケース本体部の後側部分において、左右方向に並んで配設され、
前記第３スペースが、前記ケース本体部の前側部分で、前記第１スペースと前記第２スペースとに沿って長く配設されている、
ようにしてある（請求項１１対応）。この場合、第３スペースの長さを十分確保して、長尺のエアチューブの収納空間を十分に確保する上で好ましいものとなる。また、第３スペースをケース本体部の前側部分に配設することにより、エアチューブの取出しや収納を容易に行う上でも好ましいものとなる。
【００２０】
前記仕切部材のうち前記第１スペースと前記第３スペースとを仕切る仕切壁部に、上方に向けて開口されて、前記エアノズルを平面視において前記第１スペースと前記第３スペースとに跨がった状態で嵌合保持させるエアノズル保持溝が形成されている、ようにしてある（請求項１２対応）。この場合、仕切部材を有効に利用して、エアノズルを簡単かつ確実に収納する上で好ましいものとなる。
【００２１】
前記仕切部材には、平面視における前記第１スペース部位において、前記エアノズルの先端部が嵌合保持されるエアノズル立て部が設けられている、ようにしてある（請求項１３対応）。この場合、仕切部材を有効に利用して、化粧中にエアノズルを仮置きしておくためのエアノズル立て部を構成することができる。
【考案の効果】
【００２２】
本考案によれば、商用電源や化粧用鏡の無い場所でも、エアノズルを使用した化粧を行なうことがでできる。
【図面の簡単な説明】
【００２３】
【図１】本考案によるエアノズルのセット体の一例を示すもので、ケース蓋部が開いた起立位置にある状態での全体斜視図。
【図２】図３のＸ２−Ｘ２線相当断面図。
【図３】エアノズルを収納した状態を示す平面図。
【図４】仕切部材を、図３の矢印Ａ方向から見た図。
【図５】化粧液容器の保持孔部分を示すもので、図３のＸ５−Ｘ５線相当断面図。
【図６】電気系統例を示す配線図。
【図７】化粧用鏡の傾斜角度を調整する機構例を示すもので、ケース蓋部を断面して示す要部側面図。
【考案を実施するための形態】
【００２４】
図１〜図３において、１はケースであり、アルミニウム合金や硬質合成樹脂等によって形成されたハードケースとされている。ケース１は、上方が開口された方形のケース本体部１Ａと、方形のケース蓋部１Ｂとを有する。ケース蓋部１Ｂは、ケース本体部１Ａの後側（奥側）部分に対して、ヒンジ２によって揺動可能に連結されている。なお、ケース１には、閉位置にあるケース蓋部１Ｂをケース本体部１Ａにロックしておくロック機構６が設けられている（ロック機構６のうち、ケース本体部１Ａ側の部材が符号６Ａで示され、ケース蓋部１Ｂ側の部材が符号６Ｂで示される）。ケース本体部１Ａには、取っ手７が起倒自在に取付けられている。なお、取っ手７は、図２以下では図示を略してある。
【００２５】
ケース１は、携帯に便利なように小型化されている。具体的には、旅行鞄等に収納できるように、ケース本体部１Ａの大きさは、横方向長さが２１ｃｍ程度、縦方向（前後方向）長さが１８ｃｍ程度、高さ（深さ）が４ｃｍ程度とされている。また、ケース蓋部１ｂは、横方向長さおよび縦方向長さはケース本体部１Ａと同じで、その高さ（深さ）が２．５ｃｍ程度とされている。
【００２６】
図１、図２では、ケース蓋部１Ｂが、ケース本体部１Ａの上方開口を大きく開いた開状態が示される。この開状態では、ケース蓋部１Ｂは、ヒンジ２を中心にして、図５に示す閉位置から大きく揺動されて、上下方向に伸びる起立位置となっている。そして、実施形態では、ヒンジ２の揺動可能角度範囲を限定することにより、起立位置にあるケース蓋部１Ｂの揺動角度（閉位置からの最大揺動角度）が、１１０〜１３０度となるようにされている。
【００２７】
ケース蓋部１Ｂの内面には、化粧用鏡３が取付けられると共に、その側方において、網袋からなる小物入れ４が取付けられている。小物入れ４は、その上部開口部位を通して、化粧コットンや、眉毛を描く際のテンプレート等が出し入れできるようにされている。また、ケース蓋部１Ｂの内面には、化粧用鏡３やこれをのぞき込むエアノズル使用者の顔面付近を照らす照明ランプ５が装備されている。なお、実施形態では、照明ランプ５は、化粧用鏡３の左右側縁部に沿って、上下方向に直列に多数配設されたＬＥＤランプによって構成してある。
【００２８】
ケース本体部１Ａ内には、バッテリ１１、電動式のエアポンプ１２、複数の化粧液容器１３（図５参照）が収納される他、エアノズル２０、エアポンプ１２とエアノズル２０とを接続するエアチューブ２１等が収納されるようになっている。エアポンプ１２は、電動モータ１２Ａと、電動モータ１２Ａによって駆動されるポンプ１２Ｂとによって構成されている。バッテリ１１は、低圧（例えば６Ｖ〜１２Ｖ）の直流電源となるもので、エアポンプ１２や照明ランプ５への給電用とされる。
【００２９】
エアノズル２０は、既知のように、化粧液を充填、収納する貯溜部２０ａと、エアの噴射量を調整する操作部２０ｂとを有して、操作部２０ｂを引き操作することにより、貯溜部２０ａ内の化粧液がエアノズル２０の先端部にある噴射ノズル部２０ｃから噴射されるものとなっている。なお、エアノズル２０そのものは、従来からよく知られものなので、これ以上の説明は省略する。
【００３０】
図６には、バッテリ１１に関連した各種機器類の接続関係が示される。この図６において、バッテリ１１とエアポンプ１２のモータ１２Ａとが、プラス側とマイナス側の配線３１、３２によって接続されている。この配線３１、３２の途中には、マニュアル操作によってオン、オフされる第１電源スイッチ３３が接続されている。この配線３１、３２に対して、照明ランプ５用の配線３４、３５が接続されている。この配線３４、３５の途中には、マニュアル操作によってオン、オフされる第２電源スイッチ３６が接続されている。さらに、上記配線３１、３２に対して、バッテリ容量の残量を表示する残量表示ランプ３７の配線３８、３９が接続されている。なお、配線３８、３９の途中にマニュアル操作されるオン、オフスイッチを接続して、必要時にのみ残量表示ランプ３７を点灯表示させることもできる。
【００３１】
上記配線３１、３２に対して、充電用接続端子４１の配線４２、４３が接続されている。この充電用接続端子４１に対して、商用電源（高圧の交流電源）に接続されるＡＣアダプタ（図示略）が着脱自在に接続されるようになっている。すなわち、商用電源から、ＡＣアダプタ、充電用接続端子４１を介して、バッテリ１１への充電やエアポンプ１２への給電を行えるようになっている。
【００３２】
上記配線３１、３２に対して、給電用接続端子４５の配線４６、４７が接続されている。この給電用接続端子４５に対して、携帯電話器やスマートフォン等の携帯端末器が着脱自在に接続されて、バッテリ１１（あるいはＡＣアダプタを介した商用電電）から携帯端末器へ充電可能となっている。
【００３３】
ケース本体部１Ａ内には、上述した各機器類等を体裁よくかつ安定して収納するために、仕切部材５０が配設されている。仕切部材５０は、例えば合成樹脂により形成されて、ケース本体部１Ａ内にその上方開口を通して出し入れ可能とされている。
【００３４】
仕切部材５０によって、ケース本体部１Ａには、平面視において、第１〜第４の４つのスペースＳ１〜Ｓ４に仕切られている。平面視において、第１スペースＳ１と第２スペースＳ２とは、ケース本体部１Ａのうち後側部分（ヒンジ２に近い側）に位置設定されて、左右方向に隣り合っている。第３スペースＳ３は、ケース本体部１Ａのうち前側部分において、第１スペースＳ１と第２スペースＳ２とに沿って左右方向に長く設定されている（第３スペースＳ３の左右方向長さは、第１スペースＳ１と第２スペースＳ２との左右方向の長さを合わせた長さと等しくされている）。第４スペースＳ４は、ケース本体部１Ａの左右一端側において、前後方向に長く伸びている。すなわち、第４スペースＳ４の前後方向長さは、第１スペースＳ１（第２スペースＳ２）と第３スペースＳ３との前後方向長さを合わせた長さと等しくされている。
【００３５】
第１スペースＳ１には、左右方向に隣り合うようにして、バッテリ１１とエアポンプ１２とが配設されている。バッテリ１１およびエアポンプ１２は、ケース本体部１Ａの底面に着座された状態で、図示を略すゴムバンド等による固定具によって、ケース本体部１Ａに固定されている。上記固定具による固定を解除すると共に、仕切部材５０をケース本体部１Ａから取外すことにより、バッテリ１１やエアポンプ１２をケース本体部１Ａの外部へ取り出して、その交換等を行えるようになっている。
【００３６】
第１スペースＳ１は、その上部が、仕切部材５０に形成された蓋部５０ａ、５０ｄによって施蓋されている。蓋部５０ａは、エアポンプ１２を覆うもので、蓋部５０ｄはバッテリ１１を覆うようになっている。蓋部５０ａは、ケース本体部１Ａの上端位置とほぼ同一程度の高さ位置とされ、蓋部５０ｄは蓋部５０ａよりも若干低くされている。つまり、蓋部５０ｄは、上方に開口された浅い収納部Ｓ５の底面を構成したものとなっている。この蓋部５０ｄを底面とする浅い収納部Ｓ５の深さは、エアノズル２０の厚さ（幅方向厚さ）よりも若干大きくされて、図５に示すように、エアノズル２０の一部が浅い収納部Ｓ５に収納可能とされている。なお、浅い収納部Ｓ５には、化粧コットンや化粧用の各種の小物を適宜収納しておくこともできる。
【００３７】
図１に示すように、蓋部５０ａには、エアポンプ１２に対応した位置において、排熱用の小孔５１が多数形成されている。また、蓋部５０ａには、上部に露出するようにして、前述した各電源スイッチ３３、３６が取付けられている。各接続端子４１、４５は、ケース本体部１Ａの側壁に取付けられて、外部に露出されているが、ケース本体部１Ａ内に設けることもできる。
【００３８】
蓋部５０ａには、エアノズル２０の先端部が嵌合保持されるエアノズル立て部２３が設けられている。このエアノズル立て部２３は、下方に向かうにつれて後側に位置するように傾斜設定されて、図２に示すように、エアノズル２０が傾斜状態で保持されるようになっている。このエアノズル立て部２３は、使用途中にあるエアノズル２０を仮置きしておくためのものである。
【００３９】
仕切部材５０には、第２スペースＳ２に対応した位置において、当該第２スペースＳ２を覆うようにされた上壁部５０ｂを有する。上壁部５０ｂの高さは、蓋部５０ａの高さと同一とされている。また、仕切部材５０には、上壁部５０ｂに開口するようにして、複数の保持孔５２が形成されている。複数の保持孔５２は、実施形態では、前後方向に３列、左右方向に２列の合計６個形成されている。各保持孔５２は、前述した化粧液容器１３を個々独立して嵌合保持するものとなっている。図５に示すように、各保持孔５２は、下方に向かうにつれて徐々に後側に位置するように傾斜されている。これにより、保持孔５２内に収納された際の化粧液容器１３の高さが低くされて（高さ抑制）、ケース１の全体の高さ（深さ）が極力小さくてすむことになり、また化粧液容器１３の取出しも容易となる。
【００４０】
第３スペースＳ３の深さは、ケース本体部１Ａの高さ（深さ）とほぼ等しくされて、十分に深いものとして設定されている。第３スペースＳ３は、長尺のエアチューブ２１を収納するもので、この他に、その上部においてエアノズル２０の半分程度が収納されるようになっている（図３参照）。また、前後方向に細長い第４スペースＳ４は、第３スペースＳ３よりも浅くされて、化粧筆等、細長い化粧用具の収納用とされている。なお、第４スペースＳ４の底面を、後側にいくほど低くなるよう傾斜設定としておくのが、化粧筆等の取り出し容易化の上で好ましいものとなる。
【００４１】
第３スペースＳ３の後端を仕切る後壁部５０ｃは、浅い収納部Ｓ５の前壁部を兼用したものとされている。そして、この後壁部５０ｃには、上方に開口された保持溝５３が形成されている。図３に示すように、エアノズル２０が、横向き状態で、保持溝５３に嵌合保持される。図４に示すように、保持溝５３の開口幅は、その上部が奥部よりも小さくされて、保持溝５３に嵌合保持されたエアノズル２０が不用意に保持溝５３から飛び出てしまう事態が防止される。なお、保持溝５３には、図３、図４に示すように、略Ｃ字形状の弾性部材５４が嵌合されて、保持溝５３に対してエアノズル２０ががたつきなく嵌合、保持されるようになっている。エアノズル２０を、弾性部材５４を介して保持溝５３に嵌合保持させる際には、保持溝５３の上部が若干拡開されるように弾性変形させつつ行われることになる。
【００４２】
上記後壁部５０ｃには、中間接続部材２２が取付けられている。すなわち、エアチューブ２１が、２１Ａと２１Ｂとの２本に分割されている。そして、中間接続部材２２によって、エアポンプ１２側のエアチューブ２１Ａと、エアノズル２０側のエアチューブ２１Ｂとが接続されるようになっている。
【００４３】
以上のような構成において、化粧を行う際には、図１に示すように、ケース蓋部１Ｂを開いて、起立位置とする。この状態で、エアノズル２０を保持溝５３から取外して、化粧液容器５内の化粧液が適宜選択されて、エアノズル２０の貯溜部２０ａに充填される。この後、第１電源スイッチ３３をオン操作することによりエアポンプ１２を駆動させて、化粧用鏡３を見つつ、エアノズル２０による化粧が行われる。化粧の際に、十分な照明が得られない場合は、第２電源スイッチ３６をオン操作して、照明ランプ５を点灯させればよい。バッテリ１１の容量は、エアポンプ１２を連続して例えば１５分〜２０分駆動可能な程度に設定されている。これにより、数日に渡る旅行においても、バッテリ１１を電源とする化粧が可能である。
【００４４】
バッテリ１１を充電する際には、ＡＣアダプタを充電用接続端子４１に接続して、商用電源からバッテリ１１の充電を行えばよい。また、給電用接続端子４５を利用して、バッテリ１１から携帯端末器への充電を行うことができる。上記各接続端子４１、４５がそれぞれケース１の外部に露出しているため、上記各充電はケース１を閉じた状態で行うことができる。
【００４５】
図７は、本考案の別の実施形態を示すものであり、化粧用鏡３の上下方向の傾斜角度を変更（調整）できるようにしたものある。すなわち、化粧用鏡３の上部が、ケース蓋部１Ｂに対して回動可能（揺動可能）に連結されている（この連結部位が符号６０で示される）。また、化粧用鏡３の下部が、連結リンク６１を介してケース蓋部１Ｂに連結されている。この連結リンク６１は、互いに回動可能に連結された第１リンク６１ａと第２リンク６１ｂとを有し、その回動可能な連結部位が符号６１ｃで示される。第１リンク６１ａが化粧用鏡３の裏面に回動可能に連結され（この連結部位が符号６１ｄで示される）、第２リンク６１ｂが、ケース蓋部１ｂに回動可能に連結されている（この連結部位が符号６１ｅで示される）。
【００４６】
例えば、上記連結部位６１ｃの回動抵抗が大きく形成されて、両リンク６１ａと６１ｂとのなす角度を変更することにより化粧用鏡３の傾斜角度が変更され、変更後はその傾斜角度が維持される。化粧用鏡３の傾斜角度を調整可能とすることにより、化粧用鏡３の傾斜角度を常に化粧に最適なものに設定することができる。なお、収納時には、両リンク６１ａと６１ｂとが側面視で重なる状態とされる。また、化粧用鏡３は、その下部を中心にして揺動されるものであってもよい（起立位置にあるケース蓋部１Ｂの揺動角度が大きいときに採択して好ましい態様）。
【００４７】
以上実施形態について説明したが、本考案は、実施形態に限定されるものではなく、実用新案登録請求の範囲の記載された範囲において適宜の変更が可能であり、例えば次のような場合をも含むものである。ケース１は、軟質材からなるソフトケースであってもよい。仕切部材５０は、複数の分割構成としてもよい。化粧液容器１３の収納数は、適宜変更でき、また化粧液として洗顔液をも含むものである。また、ケース１内に収納しておく化粧具として、特許文献１に記載のように、洗顔液を泡立てるための専用の噴射ノズル等、適宜のものを選択できる。化粧用鏡３は、ケース蓋部１Ｂのほぼ全面を占めるような大型ものにする等、その大きさは適宜選択できる。化粧用鏡３の傾斜角度を調整する機構は、適宜のものを採択し得る。例えば、化粧用鏡３を揺動可能に配設すると共に、化粧用鏡３の背面に起倒自在に支持部材を配設して、起立位置にある支持部材によって化粧用鏡３を傾斜状態を支持させるようにしてもよい。この場合、長さの異なる（起立位置での高さの異なる）複数の支持部材を設けて、用いる支持部材を変更することにより、化粧用鏡３の傾斜角度を段階的に変更することができる。また、化粧用鏡３の直下方において、ケース蓋部１Ｂの開口端縁部近くに、図７左右方向に間隔をあけて複数の支持溝を形成して、化粧用鏡３の下端部を任意の１つの支持溝に支持させてその傾斜状態を確保すると共に、支持溝の選択を変更することにより傾斜角度を変更させることもできる。
【００４８】
ケース蓋部１Ｂは、閉位置から例えば１８０度程度大きく開くものであってもよく、この場合は、ケース蓋部１Ｂを室内の壁等にもたれかけさせて、図１、図２に示すような起立位置を確保すればよい。バッテリ１１、エアポンプ１２、エアノズル２０、化粧液容器１３の配設位置関係は、適宜変更できるものである。ただし、エアノズル２０（およびこれに連なるエアチューブ２１）は、その取出しと収納との容易化の観点から、ケース本体部１Ａのうち極力前側部分（ヒンジ２を反対側）に収納するのが望ましい。ケース１は、取っ手７を有しないものであってもよい。勿論、本考案の目的は、明記されたものに限らず、実質的に好ましいあるいは利点として表現されたものを提供することをも暗黙的に含むものである。
【産業上の利用可能性】
【００４９】
本考案は、エアノズルによる化粧を行う機会を増大させることができる。
【符号の説明】
【００５０】
１：ケース
１Ａ：ケース本体部
１Ｂ：ケース蓋部
２：ヒンジ（ケース蓋部１Ｂの揺動中心）
３：化粧用鏡
４：小物入れ
５：照明ランプ
１１：バッテリ
１２:エアポンプ
１２Ａ：電動モータ
１２Ｂ：ポンプ
２０：エアノズル
２１：エアチューブ
２０ａ：貯溜部
２０ｂ：操作部
２０ｃ：噴射ノズル部
２３：エアノズル立て部（仮置き用）
３１、３２：配線（バッテリとエアポンプ接続用）
３３：第１電源スイッチ
３４、３５：配線（照明ランプ用）
３６：第２電源スイッチ
３７：善良表示ランプ
３８、３９：配線（残量表示ランプ用）
４１：充電用接続端子
４５：給電用接続端子
５０：仕切部材
５０ａ：蓋部
５０ｂ：上壁部
５０ｃ：後壁部
５０ｄ：蓋部
５１：小孔（排熱用）
５２：保持孔（化粧液容器用）
５３：保持溝（エアノズル用）
５４：弾性部材
６０：連結部位（化粧用鏡の傾斜角度調整用）
６１：連結リンク（化粧用鏡の傾斜角度調整用）
【図１】
0003192562.tif 000003
【図２】
0003192562.tif 000004
【図３】
0003192562.tif 000005
【図４】
0003192562.tif 000006
【図５】
0003192562.tif 000007
【図６】
0003192562.tif 000008
【図７】
0003192562.tif 000009